(57)【要約】【課題】自動湯張り機能を有する熱源機を備え、熱源機がＧＣＨインテリジェント通信仕様でない場合でも、１つの浴室リモコンで自動湯張り運転と浴室暖房機による暖房運転を連動させて行うことができる浴室リモコンを提供する。【解決手段】浴室リモコン４に、熱源機５との間で通信を行う有線通信機能と、浴室暖房機３との間で通信を行う赤外線通信機能を備えているので、熱源機５がＧＣＨインテリジェント通信機能を備えていない風呂給湯器の場合は、浴室リモコン４から有線による熱源機５の湯はり運転に連動させて、浴室リモコン５から赤外線による通信で浴室暖房機３の暖房運転を実行することができる。【選択図】      図１
2004347222.tif 000002
【特許請求の範囲】
【請求項１】
浴室内に設けられ、前記浴室の浴槽に所定量の湯を供給する熱源機による湯はり運転と、前記浴室に設置した該浴室内を暖房する浴室暖房機による暖房運転とを連動して実行させる連動スイッチを備えた浴室リモコンにおいて、
前記浴室リモコンは、前記熱源機とは有線によって通信を行い、前記浴室暖房機とは赤外線によって通信を行う通信機能を有し、
前記熱源機が、前記連動スイッチのＯＮに連動して前記浴室暖房機側に暖房の運転信号を出力する有線通信機能を有していない場合は、前記浴室リモコンから有線による前記熱源機の湯はり運転に連動させて、前記浴室リモコンから赤外線による通信で前記浴室暖房機の暖房運転を実行する、
ことを特徴とする浴室リモコン。
【発明の詳細な説明】
【０００１】
【発明の属する技術分野】
本発明は、使用者のスイッチ操作によって浴槽への湯張りと浴室暖房を連動して行うスイッチ機能等を備えている浴室内に設けた浴室リモコンに関する。
【０００２】
【従来の技術】
浴室の浴槽等に給湯配管を介して湯を供給する給湯器（熱源機）は屋外に設置されるのが一般的であり、このように屋外に設置された給湯器を屋内から遠隔操作するための有線通信によるリモコン（ワイヤードリモコン）が、一般の住宅では台所と浴室にそれぞれ設けられている。以下、台所に設置されるリモコンを「台所リモコン」と呼び、浴室内に設置されるリモコンを「浴室リモコン」と呼ぶ。
【０００３】
また、浴槽に所定量の湯を供給する湯はり機能等を有する給湯器（熱源機）では、台所リモコンと浴室リモコンの両方に浴槽への湯はり動作を指示する湯はりスイッチを備えており、台所リモコン又は浴室リモコンのいずれかからのスイッチ操作によって湯はり運転を行うことができる。近年では、この湯はり運転が開始されて設定水位になると自動的に停止する、いわゆる自動湯はり機能を備えたものが普及しつつある。
【０００４】
また、近年、冬期の入浴を快適なものとし、更に浴室を洗濯物の乾燥室として利用することができるように、浴室暖房機を浴室内に設置する場合が増えている。浴室暖房機は、給湯器で得られる温水を熱交換して、入浴前及び入浴中に浴室内に温風を吹き出して暖房を行う。また、温風を吹き出すことで、浴室内に干している脱水後の衣類などの洗濯物を温風加熱し、蒸発した水分や熱気を換気ダクトを通して換気して洗濯物の乾燥を行うことができる。
【０００５】
上記した浴室暖房機の暖房運転や乾燥運転を行う場合、台所リモコンと浴室リモコンの両方又はどちらか一方に設けたスイッチを押すことによって有線通信にて行うことができる。また、近年では、入浴者の利便性や快適性等を考慮して、浴室リモコンのスイッチ操作により、浴室暖房機の暖房運転を自動湯はり運転の開始に連動させて行えるようにした構成も提案されている（例えば、特許文献１参照。）。
【０００６】
【特許文献１】
特開平８−２４７６５１号公報
【０００７】
【発明が解決しようとする課題】
ところで、自動湯張り機能を有する熱源機である風呂給湯器又は給湯暖房機が既に設置されていて、その後に、浴室暖房機を浴室内に設置した場合においては、給湯暖房機と浴室暖房機との間の有線による通信仕様は、異なるメーカーの製品を組み合わせても使用可能とするためにメーカー間で統一された方式（ＧＣＨインテリジェント通信仕様）が採用されているが、風呂給湯器にはこのＧＣＨインテリジェント通信を備えていないのが一般的である。
【０００８】
このため、風呂給湯器を備えている場合には、従来では、浴室内に設置される風呂給湯器を有線で遠隔操作する浴室リモコンのスイッチ操作で自動湯張り運転を開始しても、浴室暖房機との間で通信手段を有していないので浴室暖房機の暖房運転を連動して行うことができなかった。この場合には、風呂給湯器用の浴室リモコン以外に、浴室暖房機用リモコンで浴室暖房機を操作する必要があり、操作性が悪かった。
【０００９】
そこで本発明は、自動湯張り機能を有する熱源機である風呂給湯器又は給湯暖房機を備え、風呂給湯器がＧＣＨインテリジェント通信仕様でない場合でも、１つの浴室リモコンで自動湯張り運転と浴室暖房機による暖房運転を連動させて行うことができる浴室リモコンを提供することを目的とする。
【００１０】
【課題を解決するための手段】
上記課題を解決するために本発明は、浴室内に設けられ、前記浴室の浴槽に所定量の湯を供給する熱源機による湯はり運転と、前記浴室に設置した該浴室内を暖房する浴室暖房機による暖房運転とを連動して実行させる連動スイッチを備えた浴室リモコンにおいて、前記浴室リモコンは、前記熱源機とは有線によって通信を行い、前記浴室暖房機とは赤外線によって通信を行う通信機能を有し、前記熱源機が、前記連動スイッチのＯＮに連動して前記浴室暖房機側に暖房の運転信号を出力する有線通信機能を有していない場合は、前記浴室リモコンから有線による前記熱源機の湯はり運転に連動させて、前記浴室リモコンから赤外線による通信で前記浴室暖房機の暖房運転を実行することを特徴としている。
【００１１】
【発明の実施の形態】
以下、本発明を図示の実施の形態に基づいて説明する。
【００１２】
図１は、本発明の実施の形態に係る浴室リモコンを内部に備えた浴室を示す概略斜視図、図２は、本発明の実施の形態に係る浴室リモコンを示す外観図である。
【００１３】
図１に示すように、浴槽２が設置されている浴室１内の壁面には、浴室暖房機３と浴室リモコン４が設けられている。また、浴室１の外部には熱源機（風呂給湯器又は給湯暖房機）５が設置されている。
【００１４】
浴室暖房機３は、浴室リモコン４によるスイッチ操作によって、熱源機５から供給される温水を熱源として外から取込まれる空気と熱交換して温風を浴室１内に送出し、浴室１内を暖房することができる。浴室リモコン４は、浴室暖房機３の暖房運転、熱源機５による浴槽２への湯はり運転等をスイッチ操作によって指示することができる。また、浴室暖房機３には、浴室リモコン４との間で赤外線通信することができるように赤外線受光部３ａを備えている。
【００１５】
また、浴室リモコン４は、台所等に設置されるメインスイッチである台所スイッチ（不図示）と連動しており、台所スイッチ（不図示）でも浴室リモコン４と同様の指示を行うことができる。
【００１６】
浴室リモコン４には、図２に示すように、浴室リモコン４の電源投入のＯＮ／ＯＦＦを行う運転スイッチ６、たし湯を行うたし湯スイッチ７、ぬる湯にセットするぬる湯スイッチ８、湯の保温時間をセットする保温時間スイッチ９、浴室暖房機３の暖房運転スイッチ１０、給湯温度を調整する給湯温度調整スイッチ１１、浴槽２への給湯量を調整する給湯量調整スイッチ１２、浴槽２内の湯の湯温（風呂温度）を調整する風呂温度調整スイッチ１３、音声ガイドの音量を調整する音量調整スイッチ１４、熱源機５による自動湯はり運転と浴室暖房機３による暖房運転を連動させて行わせる連動スイッチ１５、台所スイッチ（不図示）との間で連絡を行う呼び出しスイッチ１６、浴室リモコン４側での設定を優先させる優先スイッチ１７、浴槽２内の湯の温度を上げるおいだきスイッチ１８、浴槽２内への湯はりを所定位置まで自動で行う自動湯はりスイッチ１９、湯温等を蛍光表示管（不図示）で表示する表示部２０が備えられている。
【００１７】
浴室リモコン４内には、上記した各スイッチの押圧操作によって各スイッチに対応した動作制御を行うための制御部（不図示）を有している。なお、運転スイッチ６の押圧操作によるＯＮ（電源投入）によって熱源機５がＯＮ状態となり、待機状態となる。
【００１８】
浴室リモコン４と熱源機５との間は有線によって接続されており、浴室リモコン４と熱源機５との間の通信は有線によって行われる。また、浴室リモコン４には赤外線送信部２１を備えており、赤外線受光部３ａを有する浴室暖房機３と浴室リモコン４との間の通信を赤外線でも行うことができる。
【００１９】
また、本実施の形態における熱源機５は、浴室暖房機３との間での上記したＧＣＨインテリジェント通信機能を備えていない風呂給湯器、又は浴室暖房機３との間での上記したＧＣＨインテリジェント通信機能を備えている給湯暖房機である。
【００２０】
次に、浴室リモコン４の連動スイッチ１５を押圧して、熱源機５による自動湯はり運転と浴室暖房機３による暖房運転とを連動させて作動させるときにおける運転制御を、図３に示すフローチャートを参照して説明する。
【００２１】
先ず、浴室リモコン４の運転スイッチ（リモコン電源）６を使用者が投入（ＯＮ）すると（ステップＳ１）、浴室リモコン４のＯＮに連動して熱源機５がＯＮ状態となり、有線通信によって熱源機５から浴室リモコン４に、熱源機５が上記した風呂給湯器又は給湯暖房機かを特定する信号が出力される（ステップＳ２）。即ち、浴室暖房機３と有線通信可能な熱源機であるか判別する。
【００２２】
ステップＳ２で、浴室リモコン４が、入力される信号に基づいて熱源機５として給湯暖房機が接続されていると判別した場合、その後において、使用者が浴室リモコン４の連動スイッチ１５を押圧（ＯＮ）することにより、給湯暖房機（熱源機５）に有線通信によって自動湯はり運転の開始信号（ＯＮ信号）が出力される（ステップＳ３）。給湯暖房機（熱源機５）は、入力されるＯＮ信号によって自動湯はり運転を開始し、浴槽２内に湯はりを開始する（ステップＳ４）。
【００２３】
そして、熱源機５としての給湯暖房機は、ＧＣＨインテリジェント通信機能を有しているので、この自動湯はり運転に連動して給湯暖房機から有線通信（ＧＣＨインテリジェント通信）で浴室暖房機３に暖房運転の開始信号（ＯＮ信号）が出力され、暖房運転が開始（ＯＮ）される（ステップＳ５）。
【００２４】
そして、設定水位に達すると自動的に湯はり運転が停止（ＯＦＦ）される（ステップＳ６）。そして、この湯はり運転の停止に連動して、給湯暖房機から有線通信（ＧＣＨインテリジェント通信）で浴室暖房機３に暖房運転の停止信号（ＯＦＦ信号）が出力され、暖房運転が停止（ＯＦＦ）される（ステップＳ７）。
【００２５】
なお、熱源機５として給湯暖房機の接続を判別した場合には、浴室リモコン４の赤外線送信部２１から浴室暖房機３の赤外線受光部３ａに赤外線信号が出力されることはない。
【００２６】
そして、ステップＳ２で、浴室リモコン４が、入力される信号に基づいて熱源機５として風呂給湯器が接続されていると判別した場合、その後において、使用者が浴室リモコン４の連動スイッチ１５を押圧（ＯＮ）することにより、風呂給湯器（熱源機５）に有線通信によって自動湯はり運転の開始信号（ＯＮ信号）が出力される（ステップＳ８）。風呂給湯器（熱源機５）は、入力されるＯＮ信号によって自動湯はり運転を開始し、浴槽２内に湯はりを開始する（ステップＳ９）。
【００２７】
そして、熱源機５としての風呂給湯器は、ＧＣＨインテリジェント通信機能を有していないことにより、この自動湯はり運転に連動して浴室リモコン４から赤外線通信で浴室暖房機３に暖房運転の開始信号（ＯＮ信号）が出力され、暖房運転が開始（ＯＮ）される（ステップＳ１０）。
【００２８】
そして、設定水位に達すると自動的に湯はり運転が停止（ＯＦＦ）される（ステップＳ１１）。そして、この湯はり運転の停止に連動して、浴室リモコン４から赤外線通信で浴室暖房機３に暖房運転の停止信号（ＯＦＦ信号）が出力され、暖房運転が停止（ＯＦＦ）される（ステップＳ１２）。
【００２９】
このように本実施の形態に係る浴室リモコン４は、熱源機５との間で通信を行う有線通信機能と、浴室暖房機３との間で通信を行う赤外線通信機能を有しているので、熱源機５がＧＣＨインテリジェント通信機能を備えている給湯暖房機の場合は、給湯暖房機による自動湯はり運転と浴室暖房機３による暖房運転を連動させて実行させる連動スイッチ１５を押して給湯暖房機（熱源機５）に有線通信を行うことにより、給湯暖房機からＧＣＨインテリジェント通信で浴室暖房機３に暖房運転信号が出力され、給湯暖房機による自動湯はり運転に連動して浴室暖房機３による暖房運転を行うことができる。
【００３０】
また、熱源機５がＧＣＨインテリジェント通信機能を備えていない風呂給湯器の場合は、風呂給湯器による自動湯はり運転と浴室暖房機３による暖房運転を連動させて実行させる連動スイッチ１５を押すことにより、有線通信で風呂給湯器（熱源機５）に自動湯はり運転信号が出力され、更に赤外線通信で浴室暖房機３に暖房運転信号が出力されることによって、給湯暖房機による自動湯はり運転に連動して浴室暖房機３による暖房運転を行うことができる。
【００３１】
なお、上述した実施の形態では、浴室暖房機３は暖房機能しか有していなかったが、暖房機能以外にも、例えば乾燥機能、涼風機能、換気機能等を備えていてもよい。
【００３２】
また、上述した実施の形態では、自動湯はり運転が停止（ＯＦＦ）されると、浴室暖房機３の暖房運転が停止（ＯＦＦ）される形態であったが、自動湯はり運転の停止（ＯＦＦ）後も、所定時間（例えば４時間程度）保温を継続する機能を有する給湯暖房機の場合には、この所定時間の保温中は浴室暖房機３の暖房運転を継続するようにしてもよい。これにより、この保温時間内は浴室は暖房状態にあるので、利便性及び快適性が増す。
【００３３】
【発明の効果】
以上説明したように本発明によれば、熱源機が、連動スイッチのＯＮに連動して浴室暖房機側に暖房の運転信号を出力する有線通信機能を有していない場合は、浴室リモコンから有線による熱源機の湯はり運転に連動させて、浴室リモコンから赤外線による通信で浴室暖房機の暖房運転を実行することができるので、熱源機が、連動スイッチのＯＮに連動して浴室暖房機側に暖房の運転信号を出力する有線通信機能を有していない場合でも、１つの浴室リモコンで、熱源機による湯張り運転と浴室暖房機による暖房運転を連動させて行うことができる。
【図面の簡単な説明】
【図１】本発明の実施の形態に係る浴室リモコンを内部に備えた浴室を示す概略斜視図。
【図２】本発明の実施の形態に係る浴室リモコンを示す外観図。
【図３】本発明の実施の形態における、熱源機による自動湯はり運転と浴室暖房機による暖房運転とを連像させて作動させるときにおける運転制御を示すフローチャート。
【符号の説明】
１        浴室
２        浴槽
３        浴室暖房機
４        浴室リモコン
５        熱源機
６        運転スイッチ
１５      連動スイッチ
【図１】
2004347222.tif 000003
【図２】
2004347222.tif 000004
【図３】
2004347222.tif 000005